【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
ユニット建物を構成する直方体状の建物ユニットの１つの立面に連結され、該建物ユニットの内部空間を拡大させる小型の付帯構造物であって、
該付帯構造物は、４本の柱材と、該柱材の下端部を水平方向に連結する４本の下梁と、前記柱材の上端部を水平方向に連結する４本の上梁とから直方体状に構成され、前記建物ユニットの前記１つの立面を構成する部材に連結固定されるものであり、
前記４本の下梁及び４本の上梁は、前記４本の柱材に固定具により連結されるものであり、
前記固定具による連結は、前記柱材にジョイント部材を介してボルトナットで着脱可能に連結されることを特徴とする付帯構造物。
【請求項２】
ユニット建物を構成する直方体状の建物ユニットの１つの立面に連結され、該建物ユニットの内部空間を拡大させる小型の付帯構造物であって、
該付帯構造物は、４本の柱材と、該柱材の下端部を水平方向に連結する４本の下梁と、前記柱材の上端部を水平方向に連結する４本の上梁とから直方体状に構成され、前記建物ユニットの前記１つの立面を構成する部材に連結固定されるものであり、
隣接する２本の柱材と上梁及び下梁で構成される直方体の対向する２側面は、上梁又は下梁の一方が２本の柱材に剛接合され、その他方が固定具により２本の柱材に連結固定されるものであり、
前記固定具による連結は、前記柱材にジョイント部材を介してボルトナットで着脱可能に連結されることを特徴とする付帯構造物。
【請求項３】
前記建物ユニットの前記付帯構造物を取り付ける取付面より突出する方向の上梁と下梁及び２本の柱材で袖フレームを２面形成し、
前記袖フレームは鉛直荷重のみを負担することを特徴とする請求項１又は２に記載の付帯構造物。
【請求項４】
前記４本の柱材は断面形状が略コ字状の溝形鋼又はＣ形鋼からなり、前記ジョイント部材は、前記溝形鋼又はＣ形鋼の開口の一部を塞ぐように固着され、該ジョイント部材の裏側には、ボルトナット等の固定具の締結スペースが形成されていることを特徴とする請求項１又は２に記載の付帯構造物。
【請求項５】
前記柱材は、溝形鋼又はＣ形鋼の上端及び下端の開口を閉じる水平状の補強板が固着されており、該補強板と共に前記ジョイント部材を支持する水平状の補強板が固着されていることを特徴とする請求項４に記載の付帯構造物。
【請求項６】
前記柱材は、溝形鋼又はＣ形鋼のリブを補強する三角形状の補強プレートが固着されていることを特徴とする請求項４又は５に記載の付帯構造物。
【請求項７】
前記上梁及び下梁の少なくとも一方は、前記柱材との連結部にジョイント部材が固着され、前記上梁及び下梁の少なくとも一方は該ジョイント部材を介して前記柱材に前記固定具により連結されることを特徴とする請求項１又は２に記載の付帯構造物。
【請求項８】
前記ジョイント部材は平板状であり、上下の幅広部と中央の幅狭部とが傾斜辺で連結され、幅広部に前記下梁及び上梁を連結するためのボルトが挿入される貫通孔が形成されていることを特徴とする請求項７に記載の付帯構造物。
【請求項９】
前記ジョイント部材は前記上梁及び下梁の長手方向の開口を閉じる平坦部と、該平坦部の上下の端部が屈曲されて梁材の上下フランジに固着される上下屈曲部と、前記平坦部の中央部が屈曲されて梁材のウェブに固着される中央屈曲部とを有し、前記平坦部に前記下梁及び上梁を連結するためのボルトが挿入される貫通孔が形成されていることを特徴とする請求項７に記載の付帯構造物。
【請求項１０】
前記建物ユニットの長辺方向に沿う長さより前記付帯構造物の前記長辺方向に沿う長さが短尺であることを特徴とする請求項１〜９のいずれかに記載の付帯構造物。
【請求項１１】
前記付帯構造物は、前記４本の柱材の少なくとも上部を連結する水平ブレース材を備えることを特徴とする請求項１〜１０のいずれかに記載の付帯構造物。
【請求項１２】
請求項１〜１１のいずれかに記載の付帯構造物を前記建物ユニットに連結固定したことを特徴とするユニット建物。
【請求項１３】
前記建物ユニットは、柱材及び梁材が全て剛接合されている耐力構造体であることを特徴とする請求項１２に記載のユニット建物。
【請求項１４】
前記付帯構造物は、前記建物ユニットの外面に連結固定されることを特徴とする請求項１２又は１３に記載のユニット建物。
【請求項１５】
前記建物ユニットの１つの立面に連結される前記付帯構造物は、該１つの立面より水平方向に短く形成されており、前記建物ユニットは前記付帯構造物の柱材と対向する梁材が補強部材により補強されていることを特徴とする請求項１２〜１４のいずれかに記載のユニット建物。
【手続補正２】
【補正対象書類名】明細書
【補正対象項目名】０００６
【補正方法】変更
【補正の内容】
【０００６】
前記目的を達成すべく、本発明に係る付帯構造物は、ユニット建物を構成する直方体状の建物ユニットの１つの立面に連結され、該建物ユニットの内部空間を拡大させる小型の付帯構造物であって、４本の柱材と、該柱材の下端部を水平方向に連結する４本の下梁と、前記柱材の上端部を水平方向に連結する４本の上梁とから直方体状に構成され、前記建物ユニットの前記１つの立面を構成する部材に連結固定されるものであり、前記４本の下梁及び４本の上梁は、前記４本の柱材に固定具により連結されるものであり、前記固定具による連結は、前記柱材にジョイント部材を介してボルトナットで着脱可能に連結されることを特徴としている。
【手続補正３】
【補正対象書類名】明細書
【補正対象項目名】０００８
【補正方法】変更
【補正の内容】
【０００８】
本発明に係る付帯構造物の他の態様としては、ユニット建物を構成する直方体状の建物ユニットの１つの立面に連結され、該建物ユニットの内部空間を拡大させる小型の付帯構造物であって、４本の柱材と、該柱材の下端部を水平方向に連結する４本の下梁と、前記柱材の上端部を水平方向に連結する４本の上梁とから直方体状に構成され、前記建物ユニットの前記１つの立面を構成する部材に連結固定されるものであり、隣接する２本の柱材と上梁及び下梁で構成される直方体の対向する２側面は、上梁又は下梁の一方が２本の柱材に剛接合され、その他方が固定具により２本の柱材に連結固定されるものであり、前記固定具による連結は、前記柱材にジョイント部材を介してボルトナットで着脱可能に連結されることを特徴している。
【手続補正４】
【補正対象書類名】明細書
【補正対象項目名】００１１
【補正方法】変更
【補正の内容】
【００１１】
また、本発明に係る付帯構造物では、前記固定具による連結は、前記柱材にジョイント部材を介してボルトナットで着脱可能に連結されるものである。このように、ボルトナット接合される上梁又は下梁は２本の柱材にジョイント部材を介して連結固定されるためボルトナット接合が容易に行え、付帯構造物の製作が容易となる。
【手続補正５】
【補正対象書類名】明細書
【補正対象項目名】００６９
【補正方法】変更
【補正の内容】
【００６９】
図２１は、付帯ユニットのさらに他の実施形態を示している。前記の実施形態では、付帯ユニットは４本の柱材に４本の下梁及び４本の上梁が柱勝ちの仕様として形成されたものであったが、この実施形態では梁勝ちの仕様として形成されたものである。図１８の付帯ユニット１０Ｅでは、４本の上梁１４Ａ，１４Ａ，１５Ａ，１５Ａ同士が貫通孔に挿通されたボルトナット等の固定具で連結されて長方形状に形成され、長方形状に形成された４本の梁材の下方に４本の柱材１１ａがボルトナット等の固定具で連結されている。柱材１１ａの下方と４本の下梁との連結も、図示していないが同様に、４本の下梁同士がボルトナット等の固定具で長方形状に連結され、長方形状に形成された下梁の上部に４本の柱材の下端が連結される構成となっている。このように、本発明に係る付帯構造物は、柱勝ちの構造や、梁勝ちの構造、あるいは柱勝ちと梁勝ちを組み合わせた構造等、適宜の構造を適用することができる。
【手続補正６】
【補正対象書類名】明細書
【補正対象項目名】００７２
【補正方法】変更
【補正の内容】
【００７２】
この実施形態では、付帯ユニット１０Ｆを構成するＸ−Ｚ方向の２つの側面１６Ａ，１６Ａは２本の柱材及び２本の梁材を連結する４個所の全てが剛接合でなく、ボルトナット等によるピン接合となっていると共に、柱材１１，１１の上下端をＹ方向に連結する下梁１３及び上梁１５もボルトナットにより連結されているため、付帯ユニット１０Ｆは柔軟な構造となっている。このため、付帯ユニット１０Ｆに地震力や風圧力が作用しても、付帯ユニット自身で対抗することなく、連結される建物ユニットに作用した力を伝達して建物ユニットが対抗する構成となっている。この実施形態では、上下の梁材、すなわち下梁１２及び上梁１４が共に固定具により固定されているため、前記の実施形態と比較してより柔軟な構造となっており、建物ユニットへの追従性が高くなっている。
【手続補正７】
【補正対象書類名】明細書
【補正対象項目名】００８７
【補正方法】変更
【補正の内容】
【００８７】
１：建物ユニット、２：柱材、３，４：下梁、５，６：上梁、１０，１０Ａ，１０Ｂ、１０Ｃ，１０Ｄ，１０Ｅ，１０Ｆ，１０Ｇ，１０Ｈ，１０Ｉ：付帯ユニット（付帯構造物）、１１，１１ａ：柱材、１２，１３：下梁、１２ａ：ジョイントプレート（ジョイント部材）、１２ｂ：ボルトナット、１３ａ，１５ａ：エンドプレート（ジョイント部材）、１４，１４Ａ，１５，１５Ａ：上梁、１６，１６Ｂ：一部を剛接合した側面（袖フレーム）、１６Ａ：ボルト接合された側面（袖フレーム）、１７：水平ブレース材、２０，２１：補強板、２２：ジョイントプレート（ジョイント部材）、２３：ボルト、２４：貫通孔、２５：補強プレート、２６：連結プレート、３０：取付孔、３１：ボルト（固定具）、３２：ナット（固定具）、３３：ガイドピン、４５，４５Ａ：中間柱（補強部材）、５１，５１Ａ：接合用アタッチメント、５２，５２Ａ：補助梁（補強部材）、Ｈ：ユニット建物、ＢＬ：バルコニー、Ｂ：バルコニー柱
【手続補正８】
【補正対象書類名】図面
【補正対象項目名】図２１
【補正方法】変更
【補正の内容】
【図２１】
2011236727.tif 000001